(57)【要約】【課題】システムのクロックおよびその高調波が、所定の帯域に対して妨害を及ぼさないように、クロックの周波数を選択し、高調波妨害による性能劣化を抑止する信号処理装置を提供する。【解決手段】本発明は、外部の機器と接続され外部の機器の動作状態に関する情報である動作情報を取得し動作情報に基づいて駆動周波数を決定する動作周波数判定部と、決定された駆動周波数に関する情報を含む周波数情報を受け周波数情報に基づいて駆動周波数に実質的に等しい周波数のクロック信号を生成し出力するクロック発生部と、クロック信号に基づいてバースト信号部を含むアナログ信号をクロック信号の周波数と実質的に等しいサンプリング周波数でデジタル信号に変換するＡ／Ｄ変換部と、クロック信号、周波数情報およびデジタル信号に含まれるバースト信号部に基づいてデジタル信号のサンプリング周波数を変換し出力する復調部とを有する信号処理装置である。【選択図】図１
2008042299.tif 000002
【特許請求の範囲】
【請求項１】
外部の機器と接続され、前記外部の機器の動作状態に関する情報である動作情報を取得し、前記動作情報に基づいて駆動周波数を決定する動作周波数判定部と、
前記決定された駆動周波数に関する情報を含む周波数情報を受け、前記周波数情報に基づいて前記駆動周波数に実質的に等しい周波数のクロック信号を生成し、出力するクロック発生部と、
前記クロック信号に基づいて、バースト信号部を含むアナログ信号を、前記クロック信号の周波数と実質的に等しいサンプリング周波数でデジタル信号に変換するＡ／Ｄ変換部と、
前記クロック信号、前記周波数情報、および、前記デジタル信号に含まれるバースト信号部に基づいて、前記デジタル信号のサンプリング周波数を変換し、出力する復調部と、を有する信号処理装置。
【請求項２】
前記動作周波数判定部は、前記駆動周波数を、前記駆動周波数およびその高調波が、前記外部の機器が情報の受信または送信に使用している電波の周波数もしくは周波数帯域に含まれないように、決定する請求項１に記載の信号処理装置。
【請求項３】
前記復調部は、
前記デジタル信号のサンプリング位相と異なる位相のデータを補間し、バーストロックデータとして出力するバーストロック補間部と、
前記バーストロックデータのバースト位相誤差を検出し、前記異なる位相を制御するバースト位相検出部と、
前記バーストロックデータをＲＧＢ信号に変換するＲＧＢ変換部と、
前記ＲＧＢ信号の位相とは別の位相のデータを、前記ＲＧＢ信号に補間するラインロック補間部とを備える請求項１の信号処理装置。
【発明の詳細な説明】
【技術分野】
【０００１】
本発明は、信号処理装置に関し、特に、映像表示装置等においてアナログコンポジット映像信号をＲＧＢ信号に復調する装置であって、テレビジョン放送波、ＧＰＳ波、ＦＭ放送波等に影響を及ぼさないクロック周波数を用いて当該復調処理を行う信号処理装置に関する。
【背景技術】
【０００２】
近年、自動車等の移動体は、様々な種類の情報を表示する映像表示装置を備えるようになった。例えば、自動車に搭載される車載液晶ディスプレイは、ナビゲーション情報、テレビ放送、インターネット経由で取得された情報、および、車両情報等様々な種類の映像情報を表示する。テレビ放送を表示するにはテレビ放送波を受信する必要があるのと同様、ナビゲーション機能を利用するにはＧＰＳ波を受信する必要がある。また一般に、車載用機器は小型・薄型化が要望される。そこで、車載用機器は様々な素子、回路、部品等を高密度に集約的にパッケージングし、小型・薄型化される。そのため車載用機器は機器内および近傍を伝播する高調波の影響を受けやすい。
【０００３】
従来、映像信号の処理に用いられる信号処理装置においては、コンポジット映像信号をＹＣ分離しさらにＣ信号をさらにＲ−Ｙ信号、Ｂ−Ｙ信号にデコードするとき、バースト信号に同期したバーストロッククロックと、水平同期信号に同期したラインロッククロックを併用する。特許文献１はその例を開示する。
【０００４】
通例、バーストロッククロックは、色副搬送波周波数（以下、「ｆｓｃ」とも称する。）のＮ倍（Ｎｆｓｃ＝３．５７９５４５×Ｎ［ＭＨｚ］、以下「Ｎｆｓｃ」とも称する。）に等しい周波数を有するクロックとして設定される。しかしながら、バーストロッククロックは、それの高調波によるＧＰＳ波妨害や、ラインロッククロックと混在することによる映像信号でのビート発生が懸念される。後者に関し特許文献２はバーストロック処理とラインロック処理を単一クロックで動作させる方法を用いて映像信号におけるビート発生を抑止する例を開示する。
【０００５】
図１２は、特許文献２に記載の映像信号処理装置の構成概略図である。以下その動作について簡単に説明する。Ａ／Ｄ変換回路１０２は、入力端子１０１より入力されるＮＴＳＣコンポジット映像信号を、フリーランクロック発生回路１０５の発生する２７ＭＨｚのフリーランクロックに同期してサンプリングする。バーストロック補間回路１０３は、２７ＭＨｚでサンプリングされたデータを、デジタル補間フィルタを用いて４ｆｓｃのサンプリングデータに変換する。この時、データの補間位置は、バースト位相検出回路１０４からフィードバックされるバースト位相誤差に基づいてコントロールされる。
【０００６】
バースト位相検出回路１０４は、バーストロック補間回路１０３の出力データから、バースト信号部を抜き出し、サンプリングポイントと、バースト信号の０°、９０°、１８０°、および、２７０°のポイントとのずれを検出し、バースト位相誤差として出力する。バーストロック補間回路１０３は、バースト位相誤差がゼロになるように、補間データの生成位置を調整する。このように、バーストロック補間回路１０３とバースト位相検出回路１０４のループにより、フリーラン２７ＭＨｚサンプリングのデータをバーストロック４ｆｓｃサンプリングのデータに変換する。
【０００７】
バーストロック補間回路１０３から出力された信号は、ＹＣ分離回路１０６によりＹ信号とＣ信号に分離され、Ｃ信号はさらにクロマデコード回路１０７によりＲ−Ｙ信号とＢ−Ｙ信号にデコードされる。ラインロック補間回路１０８は、バーストロック４ｆｓｃサンプリングのＹ信号、Ｒ−Ｙ信号、Ｂ−Ｙ信号を、ラインロック１３．５ＭＨｚサンプリングのＹ信号、Ｒ−Ｙ信号、Ｂ−Ｙ信号に変換する。
【０００８】
特許文献３は、システムの使用するクロックの高調波成分によるビート妨害を抑止する映像信号処理装置を開示する。特許文献３の映像信号処理装置は、あらゆる放送チャンネルに対し、クロックの高調波成分が放送チャンネルの周波数帯域と重複しないよう、２つの周波数のクロックを発生するシステムクロック発生回路を備え、受信選局チャンネルに対してビート妨害をおこさないシステムクロックを選択することでビート妨害を抑止する。
【特許文献１】特開平１０−１６４６１８号公報
【特許文献２】特開２００１−１１２０１６号公報
【特許文献３】特開２００３−２３００７７号公報
【発明の開示】
【発明が解決しようとする課題】
【０００９】
しかしながら、システムのクロックとしてＮｆｓｃを用いた場合、その高調波がＧＰＳ波（１．５７５ＧＨｚ）に高調波妨害を及ぼす点が問題となる。また、システムのクロックとして２７ＭＨｚのフリーランクロックを用いた場合、テレビジョン放送波の７チャンネルの帯域やＦＭ放送波の８１ＭＨｚの帯域に高調波妨害を及ぼす点が問題となる。これら問題点を鑑み、本発明は、システムのクロックおよびその高調波が、所定の帯域に対して妨害を及ぼさないように、クロックの周波数を選択し、高調波妨害による性能劣化を抑止する信号処理装置を提供することを目的とする。
【課題を解決するための手段】
【００１０】
本発明は、その一態様において、外部の機器と接続され、外部の機器の動作状態に関する情報である動作情報を取得し、動作情報に基づいて駆動周波数を決定する動作周波数判定部と、決定された駆動周波数に関する情報を含む周波数情報を受け、周波数情報に基づいて駆動周波数に実質的に等しい周波数のクロック信号を生成し、出力するクロック発生部と、クロック信号に基づいて、バースト信号部を含むアナログ信号を、クロック信号の周波数と実質的に等しいサンプリング周波数でデジタル信号に変換するＡ／Ｄ変換部と、クロック信号、周波数情報、および、デジタル信号に含まれるバースト信号部に基づいて、デジタル信号のサンプリング周波数を変換し、出力する復調部と、を有する信号処理装置である。
【００１１】
本発明の一態様においては、動作周波数判定部は、駆動周波数を、駆動周波数およびその高調波が、外部の機器が情報の受信または送信に使用している電波の周波数もしくは周波数帯域に含まれないように、決定することが好ましい。
【００１２】
本発明の一態様においては、復調部は、デジタル信号のサンプリング位相と異なる位相のデータを補間し、バーストロックデータとして出力するバーストロック補間部と、バーストロックデータのバースト位相誤差を検出し、異なる位相を制御するバースト位相検出部と、バーストロックデータをＲＧＢ信号に変換するＲＧＢ変換部と、ＲＧＢ信号の位相とは別の位相のデータを、ＲＧＢ信号に補間するラインロック補間部とを備えることが好ましい。
【発明の効果】
【００１３】
本発明の信号処理装置は、その周辺にある機器（周辺機器）が使用している周波数帯域を認識し、当該認識に基づいて周辺機器の動作に影響を及ぼさないクロック周波数を選択してそのクロックに基づいて動作する。本発明にかかる信号処理装置は、周辺機器に対し、高調波妨害を起こさない。よって、周辺機器は、高調波妨害を受けることなく、その性能を十全に発揮することができる。
【００１４】
本発明にかかる信号処理装置は、例えば、周辺機器のひとつであるＴＶチューナを用いて受信され、視聴されるテレビジョン放送の放送波帯域に影響を及ぼさないクロック周波数で動作する。また例えば、本信号処理装置は、周辺機器のひとつであるナビゲーション装置を用いて受信されるＧＰＳ波に影響を及ぼさないクロック周波数で動作する。さらに、本信号処理装置は、複数の周辺機器を同時に使用する場合であっても、あらゆる使用中の周辺機器に影響を及ぼさないクロック周波数を選択して動作する。よって、周辺機器は、高調波妨害を受けずに動作し、その性能を完全に発揮することが可能となる。
【発明を実施するための最良の形態】
【００１５】
以下、本発明の実施の形態を、図面を参照しながら説明する。
【００１６】
図１は、本発明にかかる実施形態による信号処理装置１００および信号処理装置１００周辺に配される機器（周辺機器）の構成を示すブロック図である。信号処理装置１００は、ＮＴＳＣ等のアナログコンポジット映像信号（以下「コンポジット信号」とも称する。）を入力するアナログコンポジット映像信号入力端子１を有する。アナログコンポジット映像信号入力端子１に入力されたコンポジット信号は、Ａ／Ｄ変換部２に送られる。また、クロック発生部７は、Ａ／Ｄ変換部２に対し、所定周波数でクロック信号（ＣＬＫ）を出力する。Ａ／Ｄ変換部２は、入力したクロック信号（ＣＬＫ）に同期してコンポジット信号をデジタル信号（デジタルデータ）に変換し、変換したデジタルデータをＲＧＢ復調部３に送る。クロック発生部７の生成するクロック信号（ＣＬＫ）は、ＲＧＢ復調部３に対しても出力される。ＲＧＢ復調部３は、受け取ったクロック信号（ＣＬＫ）に基づいてＡ／Ｄ変換部２から入力されたデジタル信号（デジタルデータ）をＲＧＢ信号に変換し、デジタルＲＧＢ信号出力端子４ｒ、４ｇ、および、４ｂから出力する。このようにして、信号処理装置１００は、コンポジット信号をＲＧＢ信号に変換する。
【００１７】
さらに信号処理装置１００は動作周波数判定部６を有する。動作周波数判定部６は、信号処理装置１００の周辺の機器（以下、「周辺機器」と称する。）である、ＴＶチューナ１１、ＧＰＳ機器１３、ＦＭ／ＡＭチューナ１５、および、無線機器１７と接続され、これら周辺機器から、それぞれの動作状態に関する情報（以下、「動作情報」と称する。）を取得することができる。動作周波数判定部６は、入力される動作情報に基づいて、クロック発生部７が出力するクロック信号（ＣＬＫ）の周波数を決定する情報（以下、「周波数情報」と称する。）を、クロック発生部７およびＲＧＢ復調部３に対して出力することができる。クロック発生部７においては、受けた周波数情報に基づき、出力するクロック信号（ＣＬＫ）の周波数が定められる。ＲＧＢ復調部３においては、受け取った周波数情報を、Ａ／Ｄ変換部２の出力するデジタル信号（デジタルデータ）のサンプリング周波数を認識するために利用する。
【００１８】
動作情報の具体例を以下に例示する。
【００１９】
ＴＶチューナ１１の出力する動作情報には、例えば、ＴＶチューナ１１が動作中であるか否か、および、受信し、選局され、増幅され、表示装置に表示される放送チャンネル、すなわち、使用中のチャンネルに関する情報が含まれる。
【００２０】
ＧＰＳ機器１３の出力する動作情報には、例えば、ＧＰＳ機器１３が動作中であるか否か、すなわち、ＧＰＳ波を受信中か否か関する情報が含まれる。
【００２１】
ＦＭ／ＡＭチューナ１５の出力する動作情報には、例えば、ＦＭ／ＡＭチューナ１５が動作中であるか否か、および、受信し、選局され、増幅され、再生されている放送チャンネル、すなわち、使用中のＦＭ波またはＡＭ波の周波数に関する情報が含まれる。
【００２２】
無線機器１７の出力する動作情報には、例えば、無線機器１７が動作中であるか否か、および、および、無線交信に使用している電波の周波数に関する情報が含まれる。
【００２３】
なお、Ａ／Ｄ変換部２に入力されるコンポジット信号は、ＮＴＳＣ方式のアナログコンポジット映像信号に限定されない。例えば、パル方式、および、セカム方式といった異なる方式のアナログコンポジット映像信号であってもよい。
【００２４】
なお、本発明の信号処理装置１００は、ひとつの映像信号処理回路として構成することも可能である。その場合、Ａ／Ｄ変換部２、ＲＧＢ復調部３、動作周波数判定部６、およびクロック発生部７は、ひとつまたは複数の基板上に構成可能である。
【００２５】
以下、信号処理装置１００の動作について、図面を参照し、説明する。
【００２６】
図２は、信号処理装置１００のアナログコンポジット映像信号入力端子１に入力されるコンポジット信号５０、クロック発生部７の出力するクロック信号５１（ＣＬＫ）、ならびに、後述するＬＨフラグ５２（ＬＨ）、および、バーストロック５３（ＢＬ）の関係を示す図である。
【００２７】
図１および図２を参照すれば、アナログコンポジット映像信号入力端子１より入力されたコンポジット信号５０は、Ａ／Ｄ変換部２に送られる。その一方でＡ／Ｄ変換部２は、クロック発生部７の出力するクロック信号５１（ＣＬＫ）を駆動周波数として受け取り、クロック信号５１に同期してコンポジット信号５０をサンプリングし、量子化し、デジタル信号（コンポジット信号５０上の×印）を出力する。そしてデジタル信号（信号５０上の×印）はＲＧＢ復調部３に送られる。ＲＧＢ復調部３は、動作周波数判定部６から受け取った周波数情報に基づいてデジタル信号をＲＧＢ信号に変換し出力する。
【００２８】
上記コンポジット信号からＲＧＢ信号への復調処理の際、動作周波数判定部６は、周辺機器であるＴＶチューナ１１、ＧＰＳ機器１３、ＦＭ／ＡＭチューナ１５、および、無線機器１７の動作情報を周辺機器それぞれから取得する。そして、動作周波数判定部６は、取得した動作情報に基づき、ひとつまたは複数の上記周辺機器が、現在使用しているひとつまたは複数の電波の周波数もしくは周波数帯域（以下、「使用周波数帯域」と称する。）を考慮し、現在稼働中の周辺機器に対して上述の高調波妨害を及ぼさないような駆動周波数を決定し、周波数情報に含めて出力する。
【００２９】
具体的には、動作周波数判定部６は、上記動作情報に基づき、使用周波数帯域を特定し、駆動周波数およびその高調波（駆動周波数の整数倍）が、使用周波数帯域に含まれないように、または、少なくとも、使用周波数帯域に対する影響が小さくなるように、駆動周波数を決定する。
【００３０】
つまり、使用周波数帯域の分布の状態によっては、駆動周波数およびその高調波が使用周波数帯域に含まれないように駆動周波数を決定することができない場合もあり得る。その場合、周辺機器に対する影響が最も小さいと考えられる駆動周波数を選択すればよい。駆動周波数を決定した動作周波数判定部６は、駆動周波数を周波数情報に含めてＲＧＢ復調部３およびクロック発生部７へ出力する。
【００３１】
動作周波数判定部６が動作情報を取得する周辺機器は、上記の機器に限定されない。信号処理装置１００の発する高調波の影響が及ぶおそれのある周辺機器は、動作周波数判定部６が動作情報を取得する対象に加えられることが好ましい。
【００３２】
周波数情報を受け取ったクロック発生部７は、周波数情報に含まれる駆動周波数に関する情報に従い、駆動周波数に等しい周波数のクロック信号（ＣＬＫ）を生成し、Ａ／Ｄ変換部２およびＲＧＢ復調部３へ出力する。
【００３３】
次に、ＲＧＢ復調部３の動作の詳細を、図２および図３を参照しながら説明する。図３は、ＲＧＢ復調部３の詳細を示すブロック図である。
【００３４】
Ａ／Ｄ変換部２から出力されるデジタル信号は、デジタルコンポジット映像信号入力端子３０よりＲＧＢ復調部３に入力される。クロック発生部７から出力されるクロック信号５１（ＣＬＫ）は、クロック信号入力端子３１よりＲＧＢ復調部３に入力される。動作周波数判定部６から出力される周波数情報は、周波数情報入力端子３２よりＲＧＢ復調部３に入力される。
【００３５】
Ａ／Ｄ変換回路２から出力されたデジタル信号は、入力されたデータをＮｆｓｃの所定の位相にデータ補間するバーストロック補間部３３へ入力される。そして、デジタル信号は、バーストロック補間部３３およびバースト位相検出部３４により、バーストロックデータに変換される。ここで、バーストロックデータは、図２のコンポジット信号５０上○印で示される位相のデータである。
【００３６】
バースト位相検出部３４は、バーストロック補間部３３の出力（バーストロックデータ）から、バースト信号部を抜き出し、サンプリングポイントが、バースト信号の位相０°、９０°、１８０°、２７０°のポイントに対しどの程度位相がずれているかを検出し、バースト位相誤差情報としてバーストロック補間部３３に出力する。
【００３７】
バーストロック補間部３３は、バースト位相誤差情報の示す位相誤差がゼロになるように、周波数情報入力端子３２から出力される周波数情報を用いて補間データの生成ポイントを調整する。
【００３８】
なお、このバーストロック補間部３３は、周波数情報入力端子３２から入力される周波数情報に含まれる駆動周波数に関する情報が変化した場合でも、コンポジット映像に必要な帯域である約６ＭＨｚの帯域で帯域減衰のないフィルタを備えることが好ましい。また、同時に、バースト位相検出部３４は、バーストロック補間回路３３で補間されたデータが有効であるかどうかを判定するためのＬＨフラグ５２を出力する。
【００３９】
このように、バーストロック補間部３３およびバースト位相検出部３４からなるループにより、Ａ／Ｄ変換部２においてクロック信号入力端子３１からの出力であるクロック信号（ＣＬＫ）に基づいてサンプリングされたデータ（デジタル信号）を、バーストロックＮｆｓｃサンプリングのデータ（バーストロックデータ）に変換する。
【００４０】
バーストロック補間部３３から出力された信号（バーストロックデータ）は、ＹＣ分離部３５において、Ｙ信号とＣ信号に分離される。Ｃ信号は、クロマデコード部３６においてＲ−Ｙ信号とＢ−Ｙ信号にデコードされる。
【００４１】
ＲＧＢ変換部３７は、クロマデコード部３６から出力されるＲ−Ｙ信号とＢ−Ｙ信号、ならびにＹＣ分離部３５から出力されるＹ信号を用いてマトリックス演算を行い、ＲＧＢ信号に変換し、ラインロック補間部３８に出力する。
【００４２】
ラインロック補間部３８は、ＹＣ分離部３５から出力されるＹ信号の同期部分と周波数情報を用い、バーストロックＮｆｓｃサンプリングのＲ信号、Ｇ信号、および、Ｂ信号を、ラインロックＮｆｓｃサンプリングのＲ信号、Ｇ信号、および、Ｂ信号に変換する。
【００４３】
なお、このラインロック補間部３８は、周波数情報入力端子３２から入力される周波数情報に含まれる駆動周波数に関する情報が変化した場合でも、コンポジット映像に必要な帯域である約６ＭＨｚの帯域で帯域減衰のないフィルタを備えることが好ましい。
【００４４】
なお、ＲＧＢ復調部３は、周波数情報に基づき、２種類以上の所定の駆動周波数のクロック信号によりＲＧＢ復調を行う構成であれば、本実施形態以外の構成であってもよい。
【００４５】
次に、動作周波数判定部６およびクロック発生部７の動作例を示し、信号処理回路１００においてどのようにしてクロック信号５１（ＣＬＫ）の周波数（駆動周波数）が変更されるかを、図４、および、図５を参照しながら説明する。
【００４６】
図４は、動作周波数判定部６における周波数情報の生成にかかる処理のフローチャートであり、図５は、図４に示す処理を行う動作周波数判定部６と併せて使用可能なクロック発生部７のブロック図である。
【００４７】
先ず図４を参照すれば、動作周波数判定部６は、現在の駆動周波数（最後に出力した周波数情報に含まれる駆動周波数）を、動作周波数判定部６内の影響判定周波数レジスタに周波数データとして記憶する（ステップＳ１０１）。
【００４８】
次に動作周波数判定部６は、周波数データに記憶された周波数の高調波の周波数を計算により求める（ステップＳ１１１）。
【００４９】
そして、動作周波数判定部６は、以下のステップにおいて、ステップＳ１１１で求めた高調波の周波数が、使用周波数帯域（現在動作中の周辺機器が使用する電波の周波数もしくは周波数帯域）に含まれるか否か、判定し、駆動周波数を決定する。
【００５０】
ステップＳ１２１において、動作周波数判定部６は、ＴＶチューナ１１より取得した動作情報に基づき、ＴＶチューナ１１が動作中か否かを判定する。ＴＶチューナ１１が動作中であれば、ステップＳ１２３へ進み、ＴＶチューナ１１が動作中でなければ、ステップＳ１３１へ進む。
【００５１】
ステップＳ１２３において、動作周波数判定部６は、ＴＶチューナ１１より取得した動作情報に基づき、ＴＶチューナ１１が現在使用中の周波数もしくは周波数帯域において、周波数データの周波数がその高調波による妨害を起こすか否かを判定する。周波数データの周波数では高調波妨害を生じさせると判定した場合、ステップＳ１６１へ進み、周波数データの周波数は、高調波妨害を生じさせないと判定した場合、ステップＳ１３１へ進む。
【００５２】
ステップＳ１３１において、動作周波数判定部６は、ＧＰＳ機器１３より取得した動作情報に基づき、ＧＰＳ機器１３が動作中か否かを判定する。ＧＰＳ機器１３が動作中であれば、ステップＳ１３３へ進み、ＧＰＳ機器１３が動作中でなければ、ステップＳ１４１へ進む。
【００５３】
ステップＳ１３３において、動作周波数判定部６は、ＧＰＳ機器１３より取得した動作情報に基づき、ＧＰＳ機器１３が現在使用中の周波数もしくは周波数帯域において、周波数データの周波数がその高調波による妨害を起こすか否かを判定する。周波数データの周波数では高調波妨害を生じさせると判定した場合、ステップＳ１６１へ進み、周波数データの周波数は、高調波妨害を生じさせないと判定した場合、ステップＳ１４１へ進む。
【００５４】
ステップＳ１４１において、動作周波数判定部６は、ＦＭ／ＡＭチューナ１５より取得した動作情報に基づき、ＦＭ／ＡＭチューナ１５が動作中か否かを判定する。ＦＭ／ＡＭチューナ１５が動作中であれば、ステップＳ１４３へ進み、ＦＭ／ＡＭチューナ１５が動作中でなければ、ステップＳ１５１へ進む。
【００５５】
ステップＳ１４３において、動作周波数判定部６は、ＦＭ／ＡＭチューナ１５より取得した動作情報に基づき、ＦＭ／ＡＭチューナ１５が現在使用中の周波数もしくは周波数帯域において、周波数データの周波数がその高調波による妨害を起こすか否かを判定する。周波数データの周波数では高調波妨害を生じさせると判定した場合、ステップＳ１６１へ進み、周波数データの周波数は、高調波妨害を生じさせないと判定した場合、ステップＳ１５１へ進む。
【００５６】
ステップＳ１５１において、動作周波数判定部６は、無線機器１７より取得した動作情報に基づき、無線機器１７が動作中か否かを判定する。無線機器１７が動作中であれば、ステップＳ１５３へ進み、無線機器１７が動作中でなければ、ステップＳ１７１へ進む。
【００５７】
ステップＳ１５３において、動作周波数判定部６は、無線機器１７より取得した動作情報に基づき、無線機器１７が現在使用中の周波数もしくは周波数帯域において、周波数データの周波数がその高調波による妨害を起こすか否かを判定する。周波数データの周波数では高調波妨害を生じさせると判定した場合、ステップＳ１６１へ進み、周波数データの周波数は、高調波妨害を生じさせないと判定した場合、ステップＳ１５１へ進む。
【００５８】
ステップＳ１６１において、動作周波数判定部６は、影響判定周波数レジスタの周波数データを変更する。変更された周波数データは、後述のクロック発生部７が発生可能な周波数であればよい。そして、変更された周波数データを用いて、ステップＳ１１１以降の処理を再度行う。
【００５９】
ステップＳ１７１において、動作周波数判定部６は、現在の駆動周波数と、影響判定周波数レジスタに現在記憶されている周波数データとを比較し、一致するか否かを判定する。現在の駆動周波数と、周波数データとが一致しない場合、ステップＳ１７３へ進む。現在の駆動周波数と、周波数データとが一致する場合、駆動周波数の変更をクロック発生部７に送る必要がないため、処理は終了する。
【００６０】
ステップＳ１７３において、動作周波数判定部６は、駆動周波数を、現在の駆動周波数から周波数データに記憶された周波数へ変更するために、周波数データの周波数を駆動周波数とし、駆動周波数を含む周波数情報をクロック発生部７およびＲＧＢ復調部３に対して出力し、処理を終了する。
【００６１】
以上のようにして動作周波数判定部６は、周辺機器から取得した動作情報に基づき、周辺機器の稼働状況および使用中の電波周波数の詳細を考慮した駆動周波数の決定を行い、その結果をクロック発生部７およびＲＧＢ復調部３に対して送ることができる。そのため、信号処理装置１００は、常に周辺機器に対して高調波妨害を生じさせない周波数で駆動することができ、周辺機器は、高調波妨害を受けずに、常に十全な性能を発揮することが可能となる。例えば、ＴＶ放送受信においては、画質等の向上が期待される。また、ナビゲーション機能において、ＧＰＳ波受信性能の向上が期待される。動作周波数判定部６における処理は、常時繰り返されてもよいし、所定の時間間隔で繰り返されてもよい。また、新たな動作情報の入力を受けて処理が開始されるようにしてもよい。
【００６２】
図５は、図４に示す処理を行う動作周波数判定部６と併せて使用可能なクロック発生部７のブロック図である。クロック発生部７は、基準クロック発生器７１、分周比設定回路７２、分周回路Ａ７３、分周回路Ｂ７４、位相比較回路／ＶＣＯ７５を有する。基準クロック発生器７１は、動作周波数判定部６において動作の監視を行っている周辺機器に対し影響を与えない周波数であって、かつ、水平同期周波数（１５．７５ＫＨｚ）やＴＶ放送波帯域以上の周波数（８００ＭＨｚ）以上の周波数で基準クロックを発生する。分周比設定回路７２は、周波数情報入力端子７０より入力した周波数情報に含まれる駆動周波数に等しい周波数でクロック信号を発生させるように、分周回路Ａ７３および分周回路Ｂ７４の分周比を設定する。位相比較回路／ＶＣＯ７５は、分周回路Ａ７３および分周回路Ｂ７４の出力の位相比較を行い、駆動周波数に等しい周波数のクロック信号を発生させ、クロック信号出力端子７６から出力する。
【００６３】
また、図６を参照すれば、クロック発生部の別の構成例７ａが示されている。クロック発生部７ａは、発信制御回路７７、発信回路Ａ７８、発信回路Ｂ７９、および、選択回路８０を有する。発信制御回路７７は、周波数情報入力端子７０より入力した周波数情報に含まれる駆動周波数に等しい周波数でクロック信号を発生させるように、発信回路Ａ７８および発信回路Ｂ７９を制御し、選択回路８０に対しては出力すべきクロック信号に関する情報を送る。発振回路Ａ７８および発振回路Ｂ７９は、発振停止する機能を有し、かつ、相異なる所定の周波数でクロック信号を出力し、選択回路８０は、発振回路Ａ７８および発振回路Ｂ７９からのクロック信号出力を受け、発振制御回路７７からの情報に基づいて、選択的にクロック信号をクロック信号出力端子７９から出力する。図より明らかなように、クロック発生部７ａは、所定の２種類の周波数でクロック信号を発生可能な構成を有する。なお、クロック発生回路７は、出力するクロック信号の周波数を２種類から選択可能な回路であれば、本図に示した以外の構成であってもよい。なお、本図よりも多くの発振回路を備え、３種以上の周波数でクロック信号を出力可能とすることも効果的である。
【００６４】
図７は、クロック発生部７ａのように、例えば２種類といった、限定的な数の周波数を出力可能なクロック発生部と併せて使用する場合に、動作周波数判定部６のする周波数情報生成処理のフローチャートである。
【００６５】
先ず図７を参照すれば、動作周波数判定部６は、クロック発生部が出力可能なクロック信号の周波数を、動作周波数判定部６内のクロック信号周波数レジスタにクロック信号周波数データとして記憶する（ステップＳ２０１）。
【００６６】
次に動作周波数判定部６は、各クロック信号周波数データに関し、高調波の周波数を計算により求める（ステップＳ２１１）。
【００６７】
そして、動作周波数判定部６は、以下のステップにおいて、ステップＳ２１１で求めた高調波の周波数が、使用周波数帯域（現在動作中の周辺機器が使用する電波の周波数もしくは周波数帯域）に含まれるか否か、判定し、駆動周波数を決定する。
【００６８】
ステップＳ２２１において、動作周波数判定部６は、ＴＶチューナ１１より取得した動作情報に基づき、ＴＶチューナ１１が動作中か否かを判定する。ＴＶチューナ１１が動作中であれば、ステップＳ２２３へ進み、ＴＶチューナ１１が動作中でなければ、ステップＳ２３１へ進む。
【００６９】
ステップＳ２２３において、動作周波数判定部６は、ＴＶチューナ１１より取得した動作情報に基づき、ＴＶチューナ１１が現在使用中の周波数もしくは周波数帯域において、各クロック信号周波数データの示す周波数およびその高調波の、ＴＶチューナ１１の動作に対し及ぼす影響の程度を判定する。この判定は、現在使用中の周波数もしくは周波数帯域と、各クロック信号周波数データの示す周波数およびその高調波との近接の程度等より求めればよい。
【００７０】
ステップＳ２２５において、動作周波数判定部６は、ステップＳ２２３における判定の結果に基づいて、各クロック信号周波数データについて、ＴＶ放送波に対する妨害の有無およびその程度を記録するために動作周波数判定部６内のＴＶ放送波妨害有無設定レジスタにデータを登録する。
【００７１】
ステップＳ２３１において、動作周波数判定部６は、ＧＰＳ機器１３より取得した動作情報に基づき、ＧＰＳ機器１３が動作中か否かを判定する。ＧＰＳ機器１３が動作中であれば、ステップＳ２３３へ進み、ＧＰＳ機器１３が動作中でなければ、ステップＳ２４１へ進む。
【００７２】
ステップＳ２３３において、動作周波数判定部６は、ＧＰＳ機器１３より取得した動作情報に基づき、ＧＰＳ機器１３が現在使用中の周波数もしくは周波数帯域において、各クロック信号周波数データの示す周波数およびその高調波の、ＧＰＳ機器１３の動作に対し及ぼす影響の程度を判定する。この判定は、現在使用中の周波数もしくは周波数帯域と、各クロック信号周波数データの示す周波数およびその高調波との近接の程度等より求めればよい。
【００７３】
ステップＳ２３５において、動作周波数判定部６は、ステップＳ２３３における判定の結果に基づいて、各クロック信号周波数データについて、ＧＰＳ波に対する妨害の有無およびその程度を記録するために動作周波数判定部６内のＧＰＳ波妨害有無設定レジスタにデータを登録する。
【００７４】
ステップＳ２４１において、動作周波数判定部６は、ＦＭ／ＡＭチューナ１５より取得した動作情報に基づき、ＦＭ／ＡＭチューナ１５が動作中か否かを判定する。ＦＭ／ＡＭチューナ１５が動作中であれば、ステップＳ２４３へ進み、ＦＭ／ＡＭチューナ１５が動作中でなければ、ステップＳ２５１へ進む。
【００７５】
ステップＳ２４３において、動作周波数判定部６は、ＦＭ／ＡＭチューナ１５より取得した動作情報に基づき、ＦＭ／ＡＭチューナ１５が現在使用中の周波数もしくは周波数帯域において、各クロック信号周波数データの示す周波数およびその高調波の、ＦＭ／ＡＭチューナ１５の動作に対し及ぼす影響の程度を判定する。この判定は、現在使用中の周波数もしくは周波数帯域と、各クロック信号周波数データの示す周波数およびその高調波との近接の程度等より求めればよい。
【００７６】
ステップＳ２４５において、動作周波数判定部６は、ステップＳ２４３における判定の結果に基づいて、各クロック信号周波数データについて、ラジオ放送波に対する妨害の有無およびその程度を記録するために動作周波数判定部６内のラジオ放送波妨害有無設定レジスタにデータを登録する。
【００７７】
ステップＳ２５１において、動作周波数判定部６は、無線機器１７より取得した動作情報に基づき、無線機器１７が動作中か否かを判定する。無線機器１７が動作中であれば、ステップＳ２５３へ進み、無線機器１７が動作中でなければ、ステップＳ２６１へ進む。
【００７８】
ステップＳ２５３において、動作周波数判定部６は、無線機器１７より取得した動作情報に基づき、無線機器１７が現在使用中の周波数もしくは周波数帯域において、各クロック信号周波数データの示す周波数およびその高調波の、無線機器１７の動作に対し及ぼす影響の程度を判定する。この判定は、現在使用中の周波数もしくは周波数帯域と、各クロック信号周波数データの示す周波数およびその高調波との近接の程度等より求めればよい。
【００７９】
ステップＳ２５５において、動作周波数判定部６は、ステップＳ２５３における判定の結果に基づいて、各クロック信号周波数データについて、無線機器１７の使用する電波に対する妨害の有無およびその程度を記録するために動作周波数判定部６内の無線波妨害有無設定レジスタにデータを登録する。
【００８０】
ステップＳ２６１において、動作周波数判定部６は、ＴＶ放送波妨害有無設定レジスタ、ＧＰＳ波妨害有無設定レジスタ、ラジオ放送波妨害有無設定レジスタ、無線波妨害有無設定レジスタに今回の一連の処理で登録されたデータに基づいて、クロック発生部が出力可能なクロック信号周波数のうちで最も高調波妨害の程度が低い周波数を選択する。
【００８１】
ステップＳ２７１において、動作周波数判定部６は、ステップＳ２０６で選択された周波数と、現在の駆動周波数とを比較し、一致するか否かを判定する。現在の駆動周波数と選択された周波数とが一致する場合、駆動周波数の変更をクロック発生部７（７ａ）に送る必要がないため、処理は終了する。
【００８２】
ステップＳ２７３において、動作周波数判定部６は、駆動周波数を、現在の駆動周波数から選択された周波数へ変更するために、選択された周波数を駆動周波数とし、駆動周波数を含む周波数情報をクロック発生部７（７ａ）およびＲＧＢ復調部３に対して出力し、処理を終了する。
【００８３】
以上のようにして動作周波数判定部６は、周辺機器から取得した動作情報に基づき、周辺機器の稼働状況および使用中の電波周波数の詳細を考慮した駆動周波数の決定を行う。クロック発生部７（７ａ）が限定的な種類の、例えば２種類の、周波数のクロック信号を発生可能な構成であっても、出力可能なクロック信号の周波数のうちで、最も高調波妨害の程度が低い周波数で、信号処理装置１００が駆動する。そのため、信号処理装置１００は、常に周辺機器に対して高調波妨害を生じさせない周波数で駆動することができ、周辺機器は、高調波妨害を受けずに、常に十全な性能を発揮することが可能となる。動作周波数判定部６における処理は、常時繰り返されてもよいし、所定の時間間隔で繰り返されてもよい。また、新たな動作情報の入力を受けて処理が開始されるようにしてもよい。
【００８４】
次に、周波数設定回路６で設定する駆動周波数について図８を用いて説明する。
【００８５】
一般的なＲＧＢ復調回路で用いられる２７ＭＨｚをクロック信号の周波数として用いた場合、図に示す高調波次数により、テレビジョン放送波やＦＭ放送波に高調波妨害が生じる。また、色副搬送波周波数（ｆｓｃ）の８倍（８ｆｓｃ＝３．５７９５４５×８［ＭＨｚ］＝２８．６３６３６［ＭＨｚ］）を用いた場合、図には含まれないが、５５次高調波（１．５７５ＧＨｚ）がＧＰＳ帯域（１．５７４ＧＨｚ〜１．５７６ＧＨｚ）に高調波妨害を及ぼす。前記周波数（２７ＭＨｚ、２８．６３６３６ＭＨｚ）以外の周波数であって、かつ、ＷＶＧＡ相当の水平解像度を実現する周波数の例を示す。
【００８６】
一例として、３３ＭＨｚ、３４．３ＭＨｚの周波数を駆動周波数として使用することが可能である。設定された駆動周波数が３３ＭＨｚの場合、２ｃｈ、１７ｃｈ、２２ｃｈ、２８ｃｈ、３３ｃｈ、３９ｃｈ、４４ｃｈ、５０ｃｈ、５５ｃｈ、６１ｃｈのテレビジョン放送波に高調波による影響が及ぶ。したがって、上記チャンネルのテレビジョン放送波を表示する場合は、３４．３ＭＨｚに変更することで、上記チャンネルに対する高調波妨害は防止することができる。なお、本周波数は一例であり、設定される２種類の周波数の高調波が同時に同一のテレビジョン放送波帯に入らなければ任意に選択可能である。
【００８７】
以上の説明のように、本発明にかかる信号処理装置１００は、表示しているＴＶチャンネルや周辺の機器の動作状況を判定し、ＲＧＢ復調を行うクロックの高調波が影響を及ぼさない周波数を選択することにより、周辺機器に対して影響を及ぼすことを防止する。従って、本発明にかかる信号処理装置１００においては、従来に比べ、周辺機器の画質の性能とＧＰＳ受信性能が大きく向上するという効果が奏せられる。
【００８８】
最後に、ＲＧＢ復調部３の、バーストロック補間部３３、バースト位相検出部３４、および、ラインロック補間部３８の内部構成について説明を加える。
【００８９】
図９は、バーストロック補間部３３の詳細を示す図である。バーストロック補間回路３３は、クロック信号入力端子３１より入力されるクロック信号（ＣＬＫ）に同期したタイミングで、デジタルコンポジット映像信号入力端子３０より入力されるコンポジット信号と、位相基準パルス（ＬＨフラグ）５２と、内挿位置情報３００を入力し、ＬＨフラグ５２に同期したバーストロックコンポジット映像信号３０１を出力する。本図に示すバーストロック補間部３３は、ＬＨフラグ５２が有効状態の時にのみ処理を行うことを特徴とする。
【００９０】
図１０は、バースト位相検出部３４の詳細を示す図である。バースト位相検出部３４は、クロック信号入力端子３１より入力されるクロック信号（ＣＬＫ）と、バーストロック補間回路３３でＬＨフラグ５２に同期化されたバーストロックコンポジット映像信号３０１と、ＬＨフラグ５２とを入力し、バーストとの位相差を検出し内挿位置情報３００を出力する。本図に示すバースト位相検出部３４は、ＬＨフラグ５２が有効状態の時にのみ処理を行うことを特徴とする。
【００９１】
図１１は、ラインロック補間部３８の詳細を示す図である。ラインロック補間部３８は、クロック信号入力端子３１より入力されるクロック信号（ＣＬＫ）と、ＬＨフラグ５２と、ＲＧＢ信号に復調された信号３２０を入力し、映像信号の同期部分から水平同期信号部の位相差誤差を検出した水平位相誤差情報３２１を用いて誤差を修正するための補間を行いラインロックＲＧＢ映像信号３２２を出力する。本図に示すラインロック補間部３８は、ＬＨタイミング信号３２が有効状態の時にのみ処理を行うことを特徴とする。
【産業上の利用可能性】
【００９２】
本発明にかかる信号処理装置は、表示しているＴＶチャンネルや周辺の機器の動作状況に応じて任意のクロックを選択することで、周辺機器に対して影響を及ぼさない信号処理装置を実現できる。従って、従来に比べ、周辺機器の表示する画像の品質が大きく向上するという効果を奏し、液晶ＴＶ等の全体システム構成までを鑑みたクロックシステムを構築する場合、クロック周波数を任意に設定できるため、パネルの駆動条件を含めてクロック周波数の高調波妨害を防止する信号処理装置として有用である。
【００９３】
本発明にかかる信号処理装置は、表示しているＴＶチャンネルや周辺の機器の動作状況に応じて任意のクロックを選択することで、周辺機器に対して影響を及ぼさない信号処理回路を実現できる。従って、従来に比べ画質の性能が大きく向上するという効果を有し、液晶ＴＶ等の全体システム構成までを鑑みたクロックシステムを構築する場合、クロック周波数を任意に設定できるため、パネルの駆動条件を含めてクロック周波数の高調波妨害を防止する信号処理回路として有用である。
【図面の簡単な説明】
【００９４】
【図１】本発明にかかる実施形態による信号処理装置の構成を示すブロック図
【図２】ＲＧＢ復調部の動作を説明するための波形図
【図３】ＲＧＢ復調部の構成を示すブロック図
【図４】動作周波数判定部の処理に関するフローチャート
【図５】クロック発生部の第１構成例を示すブロック図
【図６】クロック発生部の第２構成例を示すブロック図
【図７】動作周波数判定部の処理に関するフローチャートの別例
【図８】クロック信号の周波数によるＴＶ放送波に対する高調波妨害を示す図
【図９】バーストロック補間部構成例のブロック図
【図１０】バースト位相検出部構成例のブロック図
【図１１】ラインロック補間部構成例のブロック図
【図１２】映像信号処理装置従来例の構成を示すブロック図
【符号の説明】
【００９５】
１  ・・・  アナログコンポジット映像信号入力端子
２  ・・・  Ａ／Ｄ変換部
３  ・・・  ＲＧＢ復調部
４ｒ、４ｇ、４ｂ・・・  デジタルＲＧＢ信号出力端子
６  ・・・  動作周波数判定部
７  ・・・  クロック発生部
１０  ・・・  テレビジョン放送波受信アンテナ
１１  ・・・  ＴＶチューナ
１２  ・・・  ＧＰＳ電波受信アンテナ
１３  ・・・  ＧＰＳ機器
１４  ・・・  ＦＭ／ＡＭ放送波受信アンテナ
１５  ・・・  ＦＭ／ＡＭチューナ
１７  ・・・  無線機器
５０  ・・・  コンポジット信号
５１  ・・・  クロック信号
５２  ・・・  位相基準パルス（ＬＨ）
５３  ・・・  バーストロック有効データ（ＢＬ）
３０  ・・・  デジタルコンポジット映像信号入力端子
３１  ・・・  クロック信号入力端子
３２  ・・・  周波数情報入力端子
３３  ・・・  バーストロック補間部
３４  ・・・  バースト位相検出部
３５  ・・・  ＹＣ分離部
３６  ・・・  クロマデコード部
３７  ・・・  ＲＧＢ変換部
３８  ・・・  ラインロック補間部
７０  ・・・  周波数情報入力端子
７１  ・・・  基準周波数発生器
７２  ・・・  分周比設定回路
７３  ・・・  分周回路Ａ
７４  ・・・  分周回路Ｂ
７５  ・・・  位相比較回路／ＶＣＯ
７６  ・・・  クロック信号出力端子
７７  ・・・  発信制御回路
７８  ・・・  発信回路Ａ
７９  ・・・  発信回路Ｂ
８０  ・・・  選択回路
１００  ・・・  信号処理装置
１０１  ・・・  入力端子
１０２  ・・・  Ａ／Ｄ変換回路
１０３  ・・・  バーストロック補間回路
１０４  ・・・  バースト位相検出回路
１０５  ・・・  フリーランクロック発生回路
１０６  ・・・  ＹＣ分離回路
１０７  ・・・  クロマデコード回路
１０８  ・・・  ラインロック補間回路
１０８  ・・・  デジタル映像Ｙ信号出力端子
１０９  ・・・  デジタル映像Ｒ−Ｙ信号出力端子
１１０  ・・・  デジタル映像Ｂ−Ｙ信号出力端子
３００  ・・・  内挿位置情報
３０１  ・・・  バーストロックコンポジット映像信号
３２０  ・・・  ＲＧＢ復調信号
３２１  ・・・  水平位相誤差情報
３２２  ・・・  ラインロックＲＧＢ映像信号
【図１】
2008042299.tif 000003
【図２】
2008042299.tif 000004
【図３】
2008042299.tif 000005
【図４】
2008042299.tif 000006
【図５】
2008042299.tif 000007
【図６】
2008042299.tif 000008
【図７】
2008042299.tif 000009
【図８】
2008042299.tif 000010
【図９】
2008042299.tif 000011
【図１０】
2008042299.tif 000012
【図１１】
2008042299.tif 000013
【図１２】
2008042299.tif 000014